(57)【要約】【課題】レールを簡単に取り外し、取り付けができる構造を提案する。【解決手段】複数の光ディスク媒体が装着されるＯＤＤアーカイブ装置であって、前記複数の光ディスク媒体が収納されるカートリッジ部と、前記複数の光ディスク媒体にデータを読み書きする光ディスクドライブと、前記光ディスク媒体を搬送するためのレールアセンブリと、を備え、前記カートリッジ部、前記光ディスクドライブ及び前記レールアセンブリを、シャシ内に収納し、前記レールアセンブリは、光ディスク媒体を保持して搬送する搬送部と、前記搬送部の移動をガイドするレールと、前記搬送部を移動させるモータとを有し、前記レールアセンブリの両端部はシャシに取り付けられる。【選択図】図１
2013246843.tif 000002
【特許請求の範囲】
【請求項１】
複数の光ディスク媒体が装着されるＯＤＤアーカイブ装置であって、
前記複数の光ディスク媒体が収納されるカートリッジ部と、
前記複数の光ディスク媒体にデータを読み書きする光ディスクドライブと、
前記光ディスク媒体を搬送するためのレールアセンブリと、を備え、
前記カートリッジ部、前記光ディスクドライブ及び前記レールアセンブリを、シャシ内に収納し、
前記レールアセンブリは、光ディスク媒体を保持して搬送する搬送部と、前記搬送部の移動をガイドするレールと、前記搬送部を移動させるモータとを有し、
前記レールアセンブリの両端部はシャシに取り付けられることを特徴とするＯＤＤアーカイブ装置。
【請求項２】
請求項１に記載のＯＤＤアーカイブ装置であって、
前記シャシは、シャシベース、前記シャシベースから略垂直に起立するフロントパネル及びリアパネルアセンブリによって構成される箱体であって、
前記レールアセンブリは、その一端部を前記フロントパネルに、他端部を前記リアパネルアセンブリに取り付けられることを特徴とするＯＤＤアーカイブ装置。
【請求項３】
請求項１に記載のＯＤＤアーカイブ装置であって、
前記レールアセンブリは、その前端部に、前記フロントパネルの凹部と係合する凸部を有することを特徴とするＯＤＤアーカイブ装置。
【請求項４】
請求項１に記載のＯＤＤアーカイブ装置であって、
前記リアパネルアセンブリは、前記フロントパネルの方向に突出するピンを有し、
前記レールアセンブリは、前記ピンと係合する穴部を有することを特徴とするＯＤＤアーカイブ装置。
【請求項５】
請求項４に記載のＯＤＤアーカイブ装置であって、
前記レールアセンブリは、前記搬送部と係合し、前記モータの回転によって前記搬送部を移動させるスクリューネジを有し、
前記スクリューネジは、前記フロントパネル側の第１の軸受と前記リアパネルアセンブリ側の第２の軸受によって前記レールアセンブリに保持され、
前記第１の軸受は、前記レールの底面側に設けられた凹部に取り付けられ、
前記第２の軸受は、前記レールの後端部に取り付けられたブラケットに取り付けられ、
前記ブラケットには、前記穴部が設けられることを特徴とするＯＤＤアーカイブ装置。
【発明の詳細な説明】
【技術分野】
【０００１】
本発明は、複数の光ディスク媒体が装着されるＯＤＤアーカイブ装置に関し、特に、ピッカーの移動をガイドするレールの取り付け構造に関する。
【背景技術】
【０００２】
複数の光ディスク媒体が装着可能なＯＤＤアーカイブ装置がある。ＯＤＤアーカイブ装置は、カートリッジ部に装着された光ディスク媒体を選択的に取り出し、取り出した光ディスク媒体を光ディスクドライブに装着し、データを読み書きする。
【０００３】
カートリッジ部に装着された光ディスク媒体を選択的に取り出し、取り出した光ディスク媒体を光ディスクドライブに装着する位置まで移動するピッカーは、レールに取り付けられており、該レールに沿って移動する構造となっている。
【０００４】
モータを駆動源とする電動アクチュエータの構造として、特許文献１及び２に記載された構造が提案されている。
【先行技術文献】
【特許文献】
【０００５】
【特許文献１】特開２００２−４６０３９号公報
【特許文献２】特開２００９−１２７７４２号公報
【発明の概要】
【発明が解決しようとする課題】
【０００６】
しかし、従来のＯＤＤアーカイブ装置では、トップカバー、フロントパネル及びリアパネルを取り外さないと、レールを取り外すことができず、レールを取り外すまでに奥の部品を取り外す必要があり、レールの取り外しに時間を要していた。このため、レールを簡単に取り外し及び取り付けができるレールの取り付け構造が求められている。
【０００７】
また、従来のＯＤＤアーカイブ装置では、レールを取り外す際に、レールに取り付けられているリードスクリュー、ステッピングモータ、プーリ、タイミングベルトなどの部品を取り外す必要がある。このため、再度レールを取り付けるときに、これらの取り外した部品を組み付ける必要があった。特に、リードスクリュー、ステッピングモータ、プーリ、タイミングベルトなどの可動部品は、再組み付け時に部品の位置関係の調整が必要となっていた。このため、レールを簡単簡易に取り外し及び取り付けができるレールの取り付け構造が求められている。
【０００８】
本発明は、レールを簡単に取り外し、取り付けができ、レールに取り付けられる部品の位置調整の手間を省く構造を提案することを目的とする。
【課題を解決するための手段】
【０００９】
本発明の代表的な一例を示せば以下の通りである。すなわち、複数の光ディスク媒体が装着されるＯＤＤアーカイブ装置であって、前記複数の光ディスク媒体が収納されるカートリッジ部と、前記複数の光ディスク媒体にデータを読み書きする光ディスクドライブと、前記光ディスク媒体を搬送するためのレールアセンブリと、を備え、前記カートリッジ部、前記光ディスクドライブ及び前記レールアセンブリを、シャシ内に収納し、前記レールアセンブリは、光ディスク媒体を保持して搬送する搬送部と、前記搬送部の移動をガイドするレールと、前記搬送部を移動させるモータとを有し、前記レールアセンブリの両端部はシャシに取り付けられる。
【発明の効果】
【００１０】
本発明の実施の形態によると、レールを簡単に取り外し及び取り付けできる。
【図面の簡単な説明】
【００１１】
【図１】本発明の実施例のＯＤＤ装置の構成を示す斜視図である。
【図２】本発明の実施例のレールＡＳＳＹの斜視図である。
【図３】本発明の実施例のレールＡＳＳＹの前部を上面側から見た斜視図である。
【図４】本発明の実施例のレールＡＳＳＹの上面図である。
【図５】本発明の実施例のレールＡＳＳＹの前部を底面側から見た斜視図である。
【図６】本発明の実施例のレールＡＳＳＹのＡＡ断面図である。
【図７】本発明の実施例のレールＡＳＳＹの後部を上面側から見た斜視図である。
【図８】本発明の実施例のレールＡＳＳＹの後部を底面側から見た斜視図である。
【図９】本発明の実施例のファンケースの斜視図である。
【図１０】本発明の実施例のレールＡＳＳＹがファンケースに取り付けられた状態の正面図である。
【発明を実施するための形態】
【００１２】
図１は、本発明の実施例のＯＤＤアーカイブ装置の構成を示す斜視図であり、トップカバーを取り外した状態を示す。
【００１３】
図１に示すように、シャシベース１がＯＤＤアーカイブ装置の底面を構成し、シャシベース１の前方には略垂直にフロントパネル２が取り付けられ、シャシベース１の後方には略垂直にファンケース４が取り付けられる。ファンケース４は、冷却ファンを収納し、その後方（外側）には、リアパネル３が取り付けられる。このように、シャシベース１、フロントパネル２、リアパネル３及びファンケース４によって、略箱形のシャシを構成する。また、リアパネル３及びファンケース４によってリアパネルＡＳＳＹを構成する。
【００１４】
フロントパネル２とリアパネル３との間には、フロントパネル２の上部とリアパネルＡＳＳＹの上部との間を渡すようにレール５１が取り付けられる。後述するように、レール５１は、その前端において、フロントパネル２にネジ止めされ、その後端において、ファンケース４から突出するピンと係合することによって、シャシベース１上の空中で延在する。レール５１には、左右二つのピッカー５２が、レール５１に沿って移動可能に取り付けられており、レール５１及びピッカー５２によってレールＡＳＳＹ５を構成する。
【００１５】
また、シャシベースの後方側には、レール５１を挟むように、その両側に複数の光ディスクドライブ６が取り付けられる。なお、図１ではレールの左右に各２台（合計４台）の光ディスクドライブ６が実装されるＯＤＤアーカイブ装置を示すが、ＯＤＤアーカイブ装置に実装される光ディスクドライブ６は、図示したもの以外でもよい。
【００１６】
なお、光ディスクドライブ６とフロントパネル２との間の空間には、光ディスク媒体を装着するカートリッジ部７が形成される。カートリッジ部７の下部には、ＯＤＤアーカイブ装置に装着される光ディスク媒体を略垂直に配置可能なホルダが形成される。ＯＤＤアーカイブ装置に装着された光ディスク媒体は、通常時はホルダに保持され、必要に応じて、光ディスクドライブ６に装着され、データが読み出し及び書き込まれる。
【００１７】
ピッカー５２は、レール５１に沿って移動可能となっており、ＯＤＤアーカイブ装置に装着される光ディスク媒体の側面と係合するアームを有する。ピッカー５２は、レール５１に沿って所定の光ディスク媒体の位置まで移動し、当該所定の光ディスク媒体の側面をアームと係合させて、当該所定の光ディスク媒体をカートリッジ部７から取り出して、ピッカー５２に保持する。その後、ピッカー５２は、レール５１に沿って所定の光ディスクドライブ６の側面に移動し、光ディスク媒体を搬送し、アームを動作によってピッカー５２に保持された光ディスク媒体を所定の光ディスクドライブ６に挿入する。
【００１８】
図２は、本発明の実施例のレールＡＳＳＹ５の斜視図であり、図３は、レールＡＳＳＹ５の前部を上面側から見た斜視図であり、図４は、レールＡＳＳＹ５の上面図であり、図５は、レールＡＳＳＹ５の前部を底面側から見た斜視図であり、図６は、レールＡＳＳＹ５のＡＡ断面図であり、図７は、レールＡＳＳＹ５の後部を上面側から見た斜視図であり、図８は、レールＡＳＳＹ５の後部を底面側から見た斜視図である。なお、図２から図８は、レール５１からピッカー５２を取り外した状態のレールＡＳＳＹ５を示す。また、図６（ＡＡ断面図）において、ハッチングは省略した。
【００１９】
レール５１は、その前部にフロントパネル２にネジ止めするための穴５１１と、フロントパネル２に設けられた凹部と係合する突起５１２を有する。なお、本実施例のレール５１では、ネジ止め穴５１１が突起５１２に設けられるが、ネジ止め穴５１１は突起５１２と別の位置に設けられてもよい。
【００２０】
レール５１の突起５１２とフロントパネル２の凹部との係合によって、レール５１（すなわち、レールＡＳＳＹ５の前端）とフロントパネル２との位置が定まる。
【００２１】
また、図５、図６に示すように、レール５１の底面側中央部には凹部が形成されており、該凹部にはリードスクリュー５６が配置される。リードスクリュー５６の溝にはピッカー５２が係合しており、リードスクリュー５６の回転によって、ピッカー５２がレール５１に沿って移動する。
【００２２】
リードスクリュー５６は、その前端側を軸受５１３で保持され、後端側を軸受５５２で保持される（図８参照）。軸受５１３は、レール５１の底面側中央部の凹部に取り付けられる。また、軸受５５２は、ブラケット５５に取り付けられており、軸受５５２がレール５１の裏面側中央部の凹部の後端に収納されるように、ブラケット５５がレール５１に取り付けられる。
【００２３】
また、図７、図８に示すように、レール５１の後端にはブラケット５５が取り付けられる。また、ブラケット５５には、モータブラケット５３が取り付けられており、モータブラケット５３（すなわち、レール５１の後端）には、ステッピングモータ５４が取り付けられる。なお、ブラケット５５とモータブラケット５３とは、一体に構成された部材でもよい。
【００２４】
モータブラケット５３の一部又は全部は、レール５１の延伸方向と略垂直に延伸する板状に形成される。
【００２５】
ステッピングモータ５４の軸は、リードスクリュー５６に連結されており、ステッピングモータ５４の回転によってリードスクリュー５６が回転し、ピッカー５２が移動する。本実施例では、ステッピングモータ５４の軸とリードスクリュー５６とは、ギアなどの減速手段を介して結合されるが、直接結合されてもよい。
【００２６】
ブラケット５５は、レール５１の延伸方向に厚みを持ち、レール５１の延伸方向に延伸する溝５５１を有する。ファンケース４は、レール５１の延伸方向に突出するピン４１を有し（図９参照）、ピン４１は溝５５１と係合する。
【００２７】
図９は、本発明の実施例のファンケース４の、レールＡＳＳＹ５と係合する部分の斜視図であり、図１０は、レールＡＳＳＹ５がファンケース４に取り付けられた状態を前面側から見た正面図である。
【００２８】
ファンケース４の前面側からは、２本のピン４１がレール５１の延伸方向に突出する。固定部材５７をブラケット５５に取り付けて溝５５１が筒状となった状態で、ブラケット５５の溝５５１と２本のピン４１とを係合させる。溝５５１とピン４１との係合によって、ブラケット５５（すなわち、レールＡＳＳＹ５の後端）とファンケース４との位置が定まる。なお、ブラケット５５と固定部材５７とは、一体に構成された部材でもよい。
【００２９】
以上に説明したように、本発明の実施例によると、レールＡＳＳＹ５１の後端部がピン４１に係合し、レールＡＳＳＹ５１の前端部のネジ止め穴５１１によってフロントパネル２にネジ止めされるので、レールを簡単に取り外し及び取り付けできる。
【００３０】
また、レール５１から、ピッカー５２、モータブラケット５３、ステッピングモータ５４、ブラケット５５、リードスクリュー５６及び固定部材５７を取り外すことなく、レールＡＳＳＹ５をシャシから着脱することができるので、レールの着脱によって、レールに取り付けられる部品の位置調整が不要となる。
【符号の説明】
【００３１】
１  シャシベース
２  フロントパネル
３  リアパネル
４  ファンケース
４１  ピン
５  レールＡＳＳＹ
５１  レール
５１１  ネジ止め穴
５１２  突部
５２  ピッカー
５３  モータブラケット
５４  ステッピングモータ
５５  ブラケット
５６  リードスクリュー
５７  固定部材
６  光ディスクドライブ
７  カートリッジ部
【図１】
2013246843.tif 000003
【図２】
2013246843.tif 000004
【図３】
2013246843.tif 000005
【図４】
2013246843.tif 000006
【図５】
2013246843.tif 000007
【図６】
2013246843.tif 000008
【図７】
2013246843.tif 000009
【図８】
2013246843.tif 000010
【図９】
2013246843.tif 000011
【図１０】
2013246843.tif 000012